(57)【要約】【課題】蓋体を開く方法を知らなければこれを開けることが難しく、チャイルドレジスタンス機能がより有効に発揮されるヒンジキャップを提供する。【解決手段】本発明のヒンジキャップは、口部３２に装着可能なキャップ本体１と、キャップ本体１の外縁に沿って延在する外周壁１２を有するとともに、外周壁１２の後方においてキャップ本体１と連結するヒンジ１４を有する蓋体１１とを備え、蓋体１１は、外周壁１２の前方において、外周壁１２の外面から外側に向けて突出する摘まみ１６と、外周壁１２の内面から内側に向けて突出してキャップ本体１の前方に設けた外向き爪部５に係合する内向き爪部１７とを備え、外周壁１２は、外周壁１２を側方内側に向けて押圧することによって前方外側に向けて弾性変形可能である。【選択図】図１
2019064598.tif 000002
【特許請求の範囲】
【請求項１】
容器の口部に装着可能なキャップ本体と、該キャップ本体の外縁に沿って延在する外周壁を有するとともに、該外周壁の後方において該キャップ本体と連結するヒンジを有する蓋体とを備えるヒンジキャップであって、
前記蓋体は、前記外周壁の前方において、該外周壁の外面から外側に向けて突出する摘まみと、該外周壁の内面から内側に向けて突出して前記キャップ本体の前方に設けた外向き爪部に係合する内向き爪部とを備え、
前記外周壁は、該外周壁を側方内側に向けて押圧することによって前方外側に向けて弾性変形可能であるヒンジキャップ。
【請求項２】
前記外周壁は、前記摘まみの上方に薄肉部を有する請求項１に記載のヒンジキャップ。
【請求項３】
前記キャップ本体は、該キャップ本体の側方において、上方に向かうにつれて内側に傾くとともに前記外周壁を側方内側に向けて押圧した際に該外周壁の下端部に当接して前記蓋体の開きを誘導する傾斜部を有する請求項１又は２に記載のヒンジキャップ。
【発明の詳細な説明】
【技術分野】
【０００１】
本発明はヒンジキャップに関するものであり、特に幼児等が偶発的に開栓してしまうことを防止するチャイルドレジスタンス機能を有するヒンジキャップに関する。
【背景技術】
【０００２】
容器の口部に装着されるキャップ本体と、キャップ本体に連結するヒンジを備える蓋体とを備えるヒンジキャップにおいては、幼児等が偶発的に蓋体を開いてしまうことを防止する機能をもたせたものが知られている。
【０００３】
例えば特許文献１には、キャップ本体に切り欠きを設けることによって弾片を形成するとともに、この弾片の先端に係止片を設け、蓋体には係止片を係止させる係止孔を設けたヒンジキャップが示されている。このヒンジキャップによれば、弾片を内側に押圧して係止片と係止孔との係合を解かなければ蓋体を開くことができないため、幼児等が偶発的に蓋体を開いてしまう不具合を防止することができる。
【先行技術文献】
【特許文献】
【０００４】
【特許文献１】特開平１０−２６４９５３号公報
【発明の概要】
【発明が解決しようとする課題】
【０００５】
ところで特許文献１のヒンジキャップは、蓋体を開く際に使用する弾片が切り欠きを設けて形成されているため、操作すべき部位が見た目によって判断されることになる。このため、悪戯をする目的で意図的に弾片が操作されて蓋体が開いてしまう懸念がある。また、外側から切り欠きが見えるため、見映えの点でも改善の余地が残されている。
【０００６】
本発明はこのような問題点を解決することを課題とするものであり、蓋体を開く方法を知らなければこれを開けることが難しく、チャイルドレジスタンス機能がより有効に発揮されるヒンジキャップを提供することを目的とする。
【課題を解決するための手段】
【０００７】
本発明は、容器の口部に装着可能なキャップ本体と、該キャップ本体の外縁に沿って延在する外周壁を有するとともに、該外周壁の後方において該キャップ本体と連結するヒンジを有する蓋体とを備えるヒンジキャップであって、
前記蓋体は、前記外周壁の前方において、該外周壁の外面から外側に向けて突出する摘まみと、該外周壁の内面から内側に向けて突出して前記キャップ本体の前方に設けた外向き爪部に係合する内向き爪部とを備え、
前記外周壁は、該外周壁を側方内側に向けて押圧することによって前方外側に向けて弾性変形可能であるヒンジキャップである。
【０００８】
前記外周壁は、前記摘まみの上方に薄肉部を有することが好ましい。
【０００９】
前記キャップ本体は、該キャップ本体の側方において、上方に向かうにつれて内側に傾くとともに前記外周壁を側方内側に向けて押圧した際に該外周壁の下端部に当接して前記蓋体の開きを誘導する傾斜部を有することが好ましい。
【発明の効果】
【００１０】
本発明におけるヒンジキャップは、蓋体の外周壁前方の内面に設けた内向き爪部をキャップ本体の外向き爪部に係合させ、蓋体の前方に設けた摘まみに指を掛けて蓋体を上方に押し上げようとしても蓋体を開くことができないように構成している。一方、蓋体の外周壁は、側方内側に向けて押圧することによって前方外側に向けて弾性変形するように構成されているため、外周壁の側方を内側に向けて押圧すると、内向き爪部と外向き爪部の係合が解かれて蓋体を開くことができる。すなわち、蓋体を開く方法を知っていれば簡単に開けることができる一方、知らなければ開けることが困難であるため、チャイルドレジスタンス機能を有効に働かせることができる。また、ヒンジキャップの外面には従来のような切り欠きがないため、見映えの点でも優れている。
【００１１】
また外周壁に、摘まみの上方において薄肉部を設ける場合は、摘まみに指を掛けて蓋体を上方に押し上げようとすると、薄肉部を起点として外周壁が更に内側に倒れることになる。すなわち、内向き爪部と外向き爪部の掛かりが増して蓋体が更に開きにくくなるため、摘まみに指をかけて蓋体を開けようとする悪戯をより確実に防止することができる。
【００１２】
キャップ本体の側方に、上方に向かうにつれて内側に傾く傾斜部を設ける場合は、外周壁を側方内側に向けて押圧した際に、この傾斜部に外周壁の下端部を当接させて蓋体の開きを誘導することができるため、蓋体をより簡単に開けることができる。
【図面の簡単な説明】
【００１３】
【図１】本発明に従うヒンジキャップの一実施形態を容器に装着した状態で示す、（ａ）は平面図（蓋体は二点鎖線で示す）、（ｂ）は（ａ）に示すＡ−Ａに沿う断面図、（ｃ）は（ａ）に示すＢ−Ｂに沿う半断面図である。
【図２】図１のヒンジキャップに対し、外周壁の側方を内側に向けて押圧した状態について示した図である。
【図３】図２のヒンジキャップに対し、外周壁の側方を更に内側に向けて押圧した状態について示した図である。
【図４】摘まみに指を掛けて蓋体を開こうとする状態について示した図である。
【図５】図１に示すヒンジキャップの変形例について示した図である。
【発明を実施するための形態】
【００１４】
以下、図面を参照しながら本発明に従うヒンジキャップの一実施形態について説明する。なお、本明細書等において「上方」とは、ヒンジキャップを容器に装着してその容器を水平面に載置した状態において、キャップ本体に対して蓋体が位置する側であり、「下方」とはその逆側である。また「前方」とは、ヒンジに対して摘まみが位置する側であり、「後方」とはその逆側である。
【００１５】
本実施形態のヒンジキャップは、図１において符号１で示すキャップ本体と、符号１１で示す蓋体とを備えている。また図１において符号３１は、ヒンジキャップを装着する容器を示す。
【００１６】
まず、容器３１について説明する。容器３１は、有底筒状をなすものであって、上部を開放した円筒状の口部３２を備えている。口部３２の外周面には、径方向外側に向けて突出する爪部３３が設けられていて、ヒンジキャップを打栓することによってこれを保持することができる。なお、本実施形態のヒンジキャップは打栓タイプであるが、本発明に従うヒンジキャップには、口部外周面に雄ねじを設けた容器に対して装着されるようにした、ねじタイプのものも含まれる。
【００１７】
次にキャップ本体１について説明する。キャップ本体１は、円筒状になるキャップ本体外周壁２と、キャップ本体外周壁２の上端に連結し、上方に向かうにつれて内側に傾く傾斜部３と、傾斜部３の上端から水平方向に延在して口部３２の上方を覆う天壁４とを備えている。本実施形態の傾斜部３は、前方部分、及び後方部分は角度が急な急傾斜部３ａであって、側方部分は、急傾斜部３ａよりも角度が緩やかな緩傾斜部３ｂとして形成されている。また、前方における急傾斜部３ａと天壁４との連結部には、径方向外側に向けて突出する外向き爪部５が設けられている。また、天壁４の上面における前方寄りには、キャップ本体１からの内容物を注出する際の出口となる注出筒６が設けられている。そして天壁４の下面には、口部３２を取り囲んで爪部３３に係合する円筒状の係合筒７と、口部３２内周面に液密に当接する環状のシール壁８とが設けられている。
【００１８】
そして蓋体１１は、キャップ本体１の外縁に沿って延在する円筒状の下部分、及びこの下部分から上方に向かうにつれて内側に傾く上部分とからなる外周壁１２と、外周壁１２の上端から水平方向に延在して天壁４を覆う頂壁１３とを備えている。外周壁１２の後方には、キャップ本体外周壁２と一体に連結するヒンジ１４が、図１（ａ）に示すように間隔をあけて２つ設けられていて、更に隣り合うヒンジ１４の間には、蓋体１１を開いた姿勢で維持するための弾性部１５が設けられている。そして外周壁１２の前方には、円筒状の下部分と傾斜した上部分との境界において、外周壁１２の外面から外側に向けて突出する摘まみ１６が設けられている。また外周壁１２の前方における内面には、内側に向けて突出して外向き爪部５に係合する内向き爪部１７が設けられている。そして頂壁１３の下面には、注出筒６に対して液密に当接するシール筒１８と、シール筒１８を取り囲むとともに天壁４に対して僅かに隙間をあけて設けられる環状壁１９が設けられている。
【００１９】
このような構成になるヒンジキャップにおいて蓋体１１を開くには、図２（ｃ）に示すように、蓋体１１の外周壁１２を側方内側に向けて押圧する。本実施形態の外周壁１２は、図２（ａ）に示すように、側方内側に向けて押圧することによって前方外側に向けて弾性変形させることが可能である。すなわち、外周壁１２の弾性変形に伴って内向き爪部１７も前方外側に向けて移動するため、外向き爪部５との係合が解けることになる。
【００２０】
そして図２の状態から更に外周壁１２を押圧すると、図３（ｂ）に示すように、キャップ本体１の側方に設けた緩傾斜部３ｂに外周壁１２の下端部が当接して、緩傾斜部３ｂに沿って外周壁１２が上方に移動する。ここで本実施形態におけるシール筒１８は、注出筒６に液密に当接しているため、蓋体１１を閉じた状態では注出筒６に嵌合された状態になっているが、外周壁１２を側方から押圧すれば、蓋体１１が上方へ移動して注出筒６とシール筒１８との嵌合が解かれるため、蓋体１１を簡単に開くことができる。
【００２１】
ところで、蓋体１１には摘まみ１６が設けられているため、蓋体１１の開け方を知らなければ、一般には図４に示すように、摘まみ１６に指を掛けて蓋体１１を上方に押し上げるようにして開けようとする。しかし、このようにして蓋体１１を押し上げても、内向き爪部１７と外向き爪部５の係合は解けないため、蓋体１１を開くことができない。このため、悪戯によって蓋体１１が開かれる不具合が有効に防止できる。
【００２２】
以上、ヒンジキャップの一実施形態について説明したが、本発明に従うヒンジキャップは、本実施形態に限られるものではなく、特許請求の範囲に従う範疇で種々の変更を加えたものも含まれる。例えば図５に示すように、外周壁１２の前方において、摘まみ１６の上方に薄肉部２０を設けてもよい。この場合、摘まみ１６に指を掛けて蓋体１１を上方に押し上げようとすると、薄肉部２０によって、図４に示す状態よりも外周壁１２が更に内側に倒れやすくなる。すなわち、内向き爪部１７と外向き爪部５の掛かりが増すことになるため、蓋体１１が不正に開かれる不具合をより確実に防止することができる。
【符号の説明】
【００２３】
１：キャップ本体
２：キャップ本体外周壁
３：傾斜部
３ａ：急傾斜部
３ｂ：緩傾斜部
４：天壁
５：外向き爪部
６：注出筒
７：係合筒
８：シール壁
１１：蓋体
１２：外周壁
１３：頂壁
１４：ヒンジ
１５：弾性部
１６：摘まみ
１７：内向き爪部
１８：シール筒
１９：環状壁
２０：薄肉部
３１：容器
３２：口部
３３：爪部
【図１】
2019064598.tif 000003
【図２】
2019064598.tif 000004
【図３】
2019064598.tif 000005
【図４】
2019064598.tif 000006
【図５】
2019064598.tif 000007